(57)【要約】【課題】  取付強度を大幅に向上させることができる部材連結構造、バンド取付構造、および時計を提供する。【解決手段】  端部に位置する取付駒１０に取付孔１６が設けられた時計バンド７と、この時計バンド７の取付駒１０が配置され、かつ取付孔１６の両端部に対応する一対の係止孔１７を有するバンド取付部６と、時計バンド７の取付孔１６に挿入され、かつ両端部がバンド取付部６の係止孔１７に係合するばね棒９と、このばね棒９の外周に装着された筒状部材２１とを備えている。従って、筒状部材２１によってばね棒９の曲げ強度を十分に補強することができるので、この筒状部材２１とばね棒９とによって時計バンド７とバンド取付部６との取付強度を大幅に向上させることができる。【選択図】        図４
2014161402.tif 000002
【特許請求の範囲】
【請求項１】
端部に取付孔が設けられた第１部材と、
この第１部材の前記端部が配置され、かつ前記取付孔の両端部に対応する一対の係止孔を有する第２部材と、
前記第１部材の前記取付孔に挿入され、かつ両端部が前記第２部材の前記一対の係止孔に係合する連結部材と、
前記連結部材の外周に装着された筒状部材と
を備えていることを特徴とする部材連結構造。
【請求項２】
請求項１に記載の部材連結構造において、前記筒状部材は、カーボン繊維、ガラス繊維、アラミド繊維、およびボロン繊維の繊維群の中から選んだ１種類または２種類以上の繊維によって形成されていることを特徴とする部材連結構造。
【請求項３】
請求項１または請求項２に記載の部材連結構造において、前記第１部材の前記端部には、前記筒状部材を露呈させるための開口部が設けられていることを特徴とする部材連結構造。
【請求項４】
請求項１〜請求項３のいずれかに記載の部材連結構造において、前記第１部材は、合成樹脂からなり、この第１部材の前記取付孔の内周面には、前記筒状部材の外周面に接触する複数の突起部が設けられていることを特徴とする部材連結構造。
【請求項５】
請求項１〜請求項３のいずれかに記載の部材連結構造において、前記筒状部材の両端部には、前記第１部材の前記取付孔内に配置される合成樹脂製の補助筒部がそれぞれ設けられていることを特徴とする部材連結構造。
【請求項６】
請求項５に記載の部材連結構造において、前記補助筒部の外周面には、前記第１部材の前記取付孔の内周面に接触する複数の外周突起部が設けられており、前記補助筒部の内周面には、前記筒状部材の外周面に接触する複数の内周突起部が設けられていることを特徴とする部材連結構造。
【請求項７】
請求項１〜請求項３のいずれかに記載の部材連結構造において、前記筒状部材の外周面を覆う軟質の合成樹脂からなるカバー部材を備えていることを特徴とする部材連結構造。
【請求項８】
請求項７に記載の部材連結構造において、前記カバー部材の外周面には、前記第１部材の前記取付孔の内周面に接触する複数の突起部が設けられていることを特徴とする部材連結構造。
【請求項９】
請求項７または請求項８に記載の部材連結構造において、前記カバー部材は、透明または半透明の合成樹脂で形成されていることを特徴とする部材連結構造。
【請求項１０】
請求項１〜請求項９のいずれかに記載の部材連結構造において、前記第２部材には、前記筒状部材の両端部が挿入する一対の挿入部が設けられていることを特徴とする部材連結構造。
【請求項１１】
請求項１〜請求項１０のいずれかに記載の部材連結構造において、前記連結部材は、前記筒状部材内に配置されるパイプ部と、このパイプ部の両端部に出没可能に挿入された一対のピン部材と、前記パイプ部内に配置されて前記一対のピン部材を押し出す方向に付勢する付勢部材とを備えていることを特徴とする部材連結構造。
【請求項１２】
端部に取付孔が設けられたバンドと、
このバンドの前記端部が配置され、かつ前記取付孔の両端部に対応する一対の係止孔を有するバンド取付部材と、
前記バンドの前記取付孔に挿入され、かつ両端部が前記バンド取付部材の前記一対の係止孔に係合する連結部材と、
前記連結部材の外周に装着された筒状部材と
を備えていることを特徴とするバンド取付構造。
【請求項１３】
請求項１〜請求項１１のいずれかに記載の部材連結構造を備えていることを特徴とする時計。
【発明の詳細な説明】
【技術分野】
【０００１】
この発明は、部材同士を連結するための部材連結構造、バンド取付構造、およびこれらを備えた時計に関する。
【背景技術】
【０００２】
例えば、腕時計においては、特許文献１に記載されているように、腕時計ケースに設けられたバンド取付部に、時計バンドの端部をばね棒によって取り付けるように構成された部材連結構造が知られている。
【先行技術文献】
【特許文献】
【０００３】
【特許文献１】特開２００７−８９８８２号公報
【０００４】
このような部材連結構造であるバンド取付構造は、時計バンドの端部に取付孔が時計バンドの長手方向と直交する方向に設けられ、この時計バンドの端部を腕時計ケースのバンド取付部内に配置した際に、バンド取付部の両側部に設けられた一対の係止孔に時計バンドの端部に位置する取付孔の両端部が対応し、この取付孔内に配置されたばね棒の両端が一対の係止孔に挿入するように構成されている。
【０００５】
この場合、ばね棒は、時計バンドの取付孔内に挿入されるパイプ部と、このパイプ部の両側部内に出没可能に配置された一対のピン部材と、パイプ部内に配置されて一対のピン部材を押し出す方向に付勢するばね部材とを備えている。
【０００６】
これにより、このバンド取付構造は、時計バンドの端部の取付孔にばね棒のパイプ部を挿入させ、このばね棒の一対のピン部材をばね部材のばね力に抗してパイプ部内に押し込み、この状態で時計バンドの端部を腕時計ケースのバンド取付部内に配置した際に、ばね棒のばね部材のばね力によって、一対のピン部材を押し出してバンド取付部の一対の係止孔に挿入させることにより、腕時計ケースのバンド取付部に時計バンドを取り付けるように構成されている。
【発明の概要】
【発明が解決しようとする課題】
【０００７】
しかしながら、このようなバンド取付構造では、腕時計ケースのバンド取付部に時計バンドをばね棒のみで取り付けているため、ばね棒にある程度の強度をもたせて、時計バンドの取付強度を確保しても、それ以上に取付強度を高めることができず、より一層、取付強度の高いバンド取付構造を提供することができないという問題がある。
【０００８】
この発明が解決しようとする課題は、取付強度を大幅に向上させることができる部材連結構造、バンド取付構造、および時計を提供することである。
【課題を解決するための手段】
【０００９】
この発明は、端部に取付孔が設けられた第１部材と、この第１部材の前記端部が配置され、かつ前記取付孔の両端部に対応する一対の係止孔を有する第２部材と、前記第１部材の前記取付孔に挿入され、かつ両端部が前記第２部材の前記一対の係止孔に係合する連結部材と、前記連結部材の外周に装着された筒状部材とを備えていることを特徴とする部材連結構造である。
【発明の効果】
【００１０】
この発明によれば、筒状部材によって連結部材の曲げ強度を十分に補強することができるので、この筒状部材と連結部材とによって第１部材と第２部材との取付強度を大幅に向上させることができる。
【図面の簡単な説明】
【００１１】
【図１】この発明を腕時計に適用した第１実施形態を示した拡大斜視図である。
【図２】図１に示された腕時計の拡大正面図である。
【図３】図２に示された腕時計のＡ−Ａ矢視における拡大断面図である。
【図４】図２に示された腕時計のＢ−Ｂ矢視における拡大断面図である。
【図５】図１に示された時計バンドの取付駒、筒状部材、およびばね棒を分解して示した要部の拡大斜視図である。
【図６】図５に示された時計バンドの取付駒および筒状部材を上下反転させて示した要部の拡大斜視図である。
【図７】この発明を腕時計に適用した第２実施形態を示した拡大正面図である。
【図８】図７に示された腕時計のＣ−Ｃ矢視における拡大断面図である。
【図９】図７に示された腕時計のＤ−Ｄ矢視における拡大断面図である。
【図１０】図７に示された時計バンドの端部、筒状部材、およびばね棒を分解して示した要部の拡大斜視図である。
【図１１】この発明を腕時計に適用した第３実施形態を示した拡大正面図である。
【図１２】図１１に示された腕時計のＥ−Ｅ矢視における拡大断面図である。
【図１３】図１１に示された時計バンドの取付駒、筒状部材、補助筒部、およびばね棒を分解して示した要部の拡大斜視図である。
【図１４】図１３に示された時計バンドの取付駒および補助筒部を上下反転させて示した要部の拡大斜視図である。
【図１５】この発明を腕時計に適用した第４実施形態を示した拡大正面図である。
【図１６】図１５に示された腕時計のＦ−Ｆ矢視における拡大断面図である。
【図１７】図１５に示された時計バンドの取付駒、カバー部材、およびばね棒を分解して示した要部の拡大斜視図である。
【図１８】図１７に示された時計バンドの取付駒およびカバー部材を上下反転させて示した要部の拡大斜視図である。
【図１９】この発明を腕時計に適用した第５実施形態を示した拡大正面図である。
【図２０】図１９に示された腕時計のＧ−Ｇ矢視における拡大断面図である。
【図２１】図１９に示された時計バンドの取付駒、カバー部材、およびばね棒を分解して示した要部の拡大斜視図である。
【図２２】図２１に示された時計バンドの取付駒およびカバー部材を上下反転させて示した要部の拡大斜視図である。
【図２３】この発明を腕時計に適用した第６実施形態を示した拡大正面図である。
【図２４】図２３に示された腕時計を下側から見た要部の拡大裏面部である。
【図２５】図２３に示された腕時計のＨ−Ｈ矢視における拡大断面図である。
【図２６】図２３に示された腕時計ケースのバンド取付部と時計バンドの取付駒とを分解して示した要部の拡大斜視図である。
【図２７】図２６に示された時計バンドの取付駒、カバー部材、およびばね棒を分解して示した要部の拡大斜視図である。
【発明を実施するための形態】
【００１２】
（第１実施形態）
以下、図１〜図６を参照して、この発明を腕時計に適用した第１実施形態について説明する。
この腕時計は、図１〜図３に示すように、腕時計ケース１を備えている。この腕時計ケース１の上部開口部には、時計ガラス２がパッキン２ａを介して取り付けられている。また、この腕時計ケース１の下部には、裏蓋３が防水リング３ａを介して取り付けられている。
【００１３】
この腕時計ケース１の内部には、図３に示すように、時計モジュール４が配置されている。この時計モジュール４は、時計機能に必要な各種の部品（図示せず）を備えている。また、この腕時計ケース１の３時側の側部には、図１および図２に示すように、スイッチ部５が設けられている。さらに、この腕時計ケース１の１２時側および６時側の各側部には、図１〜図３に示すように、バンド取付部６がそれぞれ設けられている。
【００１４】
このバンド取付部６は、図１および図２に示すように、金属製の時計バンド７が取り付けられるように構成されている。すなわち、このバンド取付部６は、一対の取付突起部８を有し、この一対の取付突起部８の間に時計バンド７の端部に位置する取付駒１０が配置された状態で、ばね棒９によって取付駒１０が一対の取付突起部８に取り付けられるように構成されている。
【００１５】
時計バンド７は、図１および図２に示すように、バンド駒１１を連結駒１２によって順次連結したものであり、腕時計ケース１に接近する端部のバンド駒１１と取付駒１０とが連結駒１２によって連結された構成になっている。この時計バンド７の取付駒１０は、図３〜図６に示すように、バンド取付部６の一対の取付突起部８間に配置される一対の駒部１３と、この一対の駒部１３の間に設けられてバンド駒１１側に向けて突出する駒連結部１４とを有している。
【００１６】
この場合、取付駒１０の一対の駒部１３間には、図５および図６に示すように、駒連結部１４を除いて開口部１５が設けられている。この開口部１５に対応する一対の駒部１３には、取付孔１６が時計バンド７の長手方向と直交する方向に貫通して設けられている。また、バンド取付部６の一対の取付突起部８には、一対の係止孔１７が一対の駒部１３の取付孔１６に対応して設けられている。
【００１７】
一方、ばね棒９は、図４および図５に示すように、腕時計ケース１のバンド取付部６に時計バンド７を取り付けるためのものであり、時計バンド７の取付駒１０の各駒部１３に設けられた各取付孔１６に連続した状態で配置されるパイプ部１８と、このパイプ部１８の両端部内に出没可能に挿入されてバンド取付部６の一対の係止孔１７に挿脱可能に挿入して係止される一対のピン部材１９と、パイプ部１８内に配置されて一対のピン部材１９を押し出す方向に付勢するコイルばね２０とを備えている。
【００１８】
この場合、一対のピン部材１９は、図４および図５に示すように、パイプ部１８の両端部から突出した外周面に操作突起１９ａがそれぞれ設けられ、この操作突起１９ａをコイルばね２０のばね力に抗して、パイプ部１８内に向けて操作することにより、パイプ部１８内に没入するように構成されている。
【００１９】
これにより、このばね棒９は、図３〜図５に示すように、一対のピン部材１９がコイルばね２０のばね力に抗してパイプ部１８内に押し込まれて、取付駒１０がバンド取付部６の一対の取付突起部８間に配置されると、一対のピン部材１９がコイルばね２０のばね力によって押し出されて一対の取付突起部８の各係止孔１７に挿入することにより、時計バンド７をバンド取付部６に取り付けるように構成されている。
【００２０】
また、このばね棒９は、図３〜図５に示すように、パイプ部１８の外周に筒状部材２１が装着されるように構成されている。この筒状部材２１は、カーボン繊維を合成樹脂で円筒状に固めた構成になっている。この場合、筒状部材２１は、例えばカーボン繊維をエポキシ樹脂などの熱硬化性樹脂で固めた構成であることが望ましいが、カーボン繊維をウレタン樹脂などの熱可塑性樹脂で固めた構成であっても良い。
【００２１】
また、この筒状部材２１は、図３〜図５に示すように、その内部にばね棒９のパイプ部１８が挿入するように構成されている。この筒状部材２１は、その軸方向の長さが、ばね棒９のパイプ部１８の長さよりも長く、かつバンド取付部６の一対の取付突起部８間の長さとほぼ同じ長さに形成されている。また、この筒状部材２１は、その外径が取付駒１０の一対の駒部１３に設けられた取付孔１６の内径と同じ大きさに形成されている。
【００２２】
この場合、バンド取付部６の一対の取付突起部８に設けられた各係止孔１７は、図４および図５に示すように、その内径がばね棒９の一対のピン部材１９の外径と同じ大きさで、ピン部材１９の操作突起１９ａの外径よりも小さい径で形成されている。これにより、ピン部材１９は、その先端部が取付突起部８の係止孔１７に挿入して、操作突起１９ａが係止孔１７の縁部に当接するように構成されている。
【００２３】
また、筒状部材２１の両端部には、図４〜図６に示すように、ピン部材１９の操作突起１９ａを操作するための切欠き部２１ａが設けられている。同様に、取付駒１０の一対の駒部１３の両側に位置する一対の駒部１３の下部にも、ピン部材１９の操作突起１９ａを操作するための切欠き部１３ａが筒状部材２１の切欠き部２１ａに対応して設けられている。
【００２４】
これにより、ばね棒９は、図４に示すように、ピン部材１９の操作突起１９ａが筒状部材２１の切欠き部２１ａと取付駒１０の一対の駒部１３の切欠き部１３ａとに対応して露出することにより、時計バンド７をバンド取付部６に取り付けた状態で、操作突起１９ａをドライバーなどの工具（図示せず）によって操作して、ピン部材１９をバンド取付部６の取付突起部８の係止孔１７から抜き出せるように構成されている。
【００２５】
次に、このような腕時計のバンド取付構造の作用について説明する。
時計バンド７を腕時計ケース１に取り付ける場合には、まず、ばね棒９と筒状部材２１とを時計バンド７の取付駒１０の取付孔１６に挿入する。このときには、ばね棒９を筒状部材２１内に挿入させ、この筒状部材２１を取付駒１０の一対の駒部１３に設けられた取付孔１６に挿入し、この一対の駒部１３の切欠き部１３ａと筒状部材２１の切欠き部２１ａとを対応させる。
【００２６】
この状態では、取付駒１０の一対の駒部１３の取付孔１６内に配置された筒状部材２１の中間部が、取付駒１０の開口部１５から外部に露呈する。また、ばね棒９の一対のピン部材１９は、ばね棒９のコイルばね２０のばね力によってパイプ部１８から押し出されて、一対の駒部１３の取付孔１６から外部に突出する。さらに、このピン部材１９の操作突起１９ａは、一対の駒部１３の切欠き部１３ａと筒状部材２１の切欠き部２１ａとに対応して取付駒１０の下側に露呈する。
【００２７】
そして、時計バンド７を腕時計ケース１のバンド取付部６に取り付ける際には、まず、ばね棒９の一対のピン部材１９をコイルばね２０のばね力に抗してパイプ部１８内に押し込む。この状態で、時計バンド７の取付駒１０を腕時計ケース１のバンド取付部６における一対の取付突起部８間に配置し、ばね棒９の一対のピン部材１９を一対の取付突起部８の各係止孔１７に対応させる。
【００２８】
すると、一対のピン部材１９がコイルばね２０のばね力によってパイプ部１８内から押し出され、この押し出された一対のピン部材１９が一対の取付突起部８の各係止孔１７にそれぞれ挿入される。これにより、時計バンド７の取付駒１０が腕時計ケース１のバンド取付部６の一対の取付突起部８にばね棒９によって取り付けられ、時計バンド７が腕時計ケース１のバンド取付部６に取り付けられる。
【００２９】
一方、時計バンド７を腕時計ケース１のバンド取付部６から取り外す場合には、一対の駒部１３の切欠き部１３ａと筒状部材２１の切欠き部２１ａとが対応した箇所にドライバーなどの工具（図示せず）を挿入して、ばね棒９の両端に位置する一対のピン部材１９の各操作突起１９ａをコイルばね２０のばね力に抗してパイプ部１８内に向けて移動させる。
【００３０】
すると、一対のピン部材１９が一対の取付突起部８の各係止孔１７から抜け出すので、時計バンド７の取付駒１０がバンド取付部６の一対の取付突起部８から取り外せる状態になる。これにより、時計バンド７を腕時計ケース１のバンド取付部６から取り外すことができる。
【００３１】
このように、この腕時計のバンド取付構造によれば、端部に位置する取付駒１０に取付孔１６が設けられた時計バンド７と、この時計バンド７の取付駒１０が配置され、かつ取付孔１６の両端部に対応する一対の係止孔１７を有するバンド取付部６と、時計バンド７の取付孔１６に挿入され、かつ両端部がバンド取付部６の一対の係止孔１７に係合するばね棒９と、カーボン繊維によって形成され、かつばね棒９の外周に装着された筒状部材２１とを備えているので、バンド取付部６に対する時計バンド７の取付強度を大幅に向上させることができる。
【００３２】
すなわち、このバンド取付構造では、カーボン繊維によって形成された筒状部材２１の内部にばね棒９のパイプ部１８が挿入されていることにより、筒状部材２１によってばね棒９の曲げ強度を十分に補強して高めることができるので、筒状部材２１およびばね棒９によって腕時計ケース１のバンド取付部６に対する時計バンド７の取付強度を大幅に向上させることができる。
【００３３】
この場合、筒状部材２１は、カーボン繊維によって形成されていることにより、強度が極めて高く、ばね棒９を十分に補強してばね棒９の曲げ強度を確実に高めることができるほか、重さが軽いため、筒状部材２１の外径が大きくても、ばね棒９および筒状部材２１全体の重量の増加を大幅に抑えることができる。
【００３４】
また、時計バンド７の取付駒１０には、筒状部材２１を露呈させるための開口部１５が設けられていることにより、この開口部１５を通して筒状部材２１を外部から見ることができるので、ばね棒９よりも太い筒状部材２１によって強度的な安心感を与えることができ、これにより商品質感を向上させることができると共に、デザイン的にも好ましいものを提供することができる。
【００３５】
また、このバンド取付構造では、ばね棒１９が、筒状部材２１内に配置されるパイプ部１８と、このパイプ部１８の両端部に出没可能に挿入された一対のピン部材１９と、パイプ部１８内に配置されて一対のピン部材１９を押し出す方向に付勢するコイルばね２０とを備えた構成であるから、時計バンド７を腕時計ケース１のバンド取付部８に簡単にかつ確実に取り付けることができる。
【００３６】
この場合、ばね棒９は、コイルばね２０のばね力によってピン部材１９がパイプ部１８から押し出されてバンド取付部８の係止孔１７に挿入した際に、筒状部材２１の両端部に設けられた切欠き部２１ａと、時計バンド７の取付駒１０の両端部に設けられた切欠き部１３ａとが対応して、ばね棒９のピン部材１９を露呈させることができる。
【００３７】
このため、筒状部材２１の切欠き部２１ａと時計バンド７の取付駒１０の切欠き部１３ａとが対応した箇所にドライバーなどの工具を挿入して、ばね棒９のピン部材１９をパイプ部１８内に向けて押し込むように操作することができるので、コイルばね２０のばね力によってバンド取付部６の一対の係止孔１７に挿入しているピン部材１９を係止孔１７から抜き出すことができ、これにより時計バンド７をバンド取付部６から容易に取り外して、簡単に交換することができる。
【００３８】
（第２実施形態）
次に、図７〜図１０を参照して、この発明を腕時計に適用した第２実施形態について説明する。なお、図１〜図６に示された第１実施形態１と同一部分には同一符号を付して説明する。
この腕時計は、図７〜図１０に示すように、時計バンド２４およびバンド取付構造の一部が第１実施形態と異なる構成であり、これ以外は第１実施形態とほぼ同じ構成になっている。
【００３９】
すなわち、時計バンド２４は、図７に示すように、ウレタン樹脂などの弾力性を有する合成樹脂によって形成され、その一端部が腕時計ケース１のバンド取付部６にばね棒９によって取り付けられるように構成されている。この時計バンド２４の一端部は、図７〜図１０に示すように、バンド取付部６の一対の取付突起部８間に配置され、その中間部に底部を除いて開口部２５が設けられ、この開口部２５の両側に一対のバンド端部２６が設けられた構成になっている。
【００４０】
この時計バンド２４の一端部に設けられた一対のバンド端部２６には、図８〜図１０に示すように、取付孔２７がバンド取付部６の一対の取付突起部８に設けられた一対の係止孔１７にそれぞれ対応して設けられている。この一対のバンド端部２６の取付孔２７は、ばね棒９のパイプ部１８が挿入するパイプ挿入孔部２７ａと、カーボン繊維からなる筒状部材２１の両端部が挿入する筒挿入孔部２７ｂとを有する段差状に形成されている。
【００４１】
すなわち、取付孔２７のパイプ挿入孔部２７ａは、図９および図１０に示すように、ばね棒９のパイプ部１８の外径と同じ大きさの小径孔部であり、一対のバンド端部２６の各外部側に形成されている。また、取付孔２７の筒挿入孔部２７ｂは、筒状部材２１の外径と同じ大きさの大径孔部であり、一対のバンド端部２６の各内部側に形成されている。この場合、筒状部材２１は、その長さがばね棒９のパイプ部１８の長さよりも短く、かつ一対のバンド端部２６の各内端面間の長さよりも長く形成されている。
【００４２】
また、この筒状部材２１の両端部が挿入する取付孔２７の筒挿入孔部２７ｂの内周面には、図１０に示すように、筒状部材２１の両端部に位置する外周面に弾力的に圧接する複数の突起部２８が設けられている。これにより、筒状部材２１は、その両端部の外周面が筒挿入孔部２７ｂの内周面に設けられた複数の突起部２８に部分的に圧接して位置規制された状態で固定されるように構成されている。
【００４３】
ところで、ばね棒９は、第１実施形態と同様に構成されている。また、バンド取付部６の一対の取付突起部８に設けられた各係止孔１７は、第１実施形態と同様、その内径がばね棒９の一対のピン部材１９の外径と同じ大きさで、ピン部材１９の操作突起１９ａの外径よりも小さい径で形成されている。この場合、一対のバンド端部２６の各外端部には、図９および図１０に示すように、ばね棒９のピン部材１９の操作突起１９ａを操作するための切欠き部２９が下側に開放されて設けられている。
【００４４】
これにより、ばね棒９は、図９に示すように、ピン部材１９の操作突起１９ａが一対のバンド端部２６の切欠き部２９に対応して露出することにより、時計バンド２４をバンド取付部６に取り付けた状態で、操作突起１９ａをドライバーなどの工具（図示せず）によって操作して、ピン部材１９をバンド取付部６の取付突起部８の係止孔１７から抜き出せるように構成されている。
【００４５】
次に、このような腕時計のバンド取付構造の作用について説明する。
時計バンド２４を腕時計ケース１に取り付ける場合には、第１実施形態と同様、ばね棒９と筒状部材２１とを時計バンド２４の一対のバンド端部２６の取付孔２７に挿入する。このときには、ばね棒９のパイプ部１８を筒状部材２１内に挿入させて、パイプ部１８の両端部を筒状部材２１の両側から外部に突出させ、この状態でばね棒９と筒状部材２１とを時計バンド２４の一対のバンド端部２６の取付孔２７に挿入させる。
【００４６】
この場合には、時計バンド２４がウレタン樹脂などの弾力性を有する合成樹脂で形成されていることにより、時計バンド２４の一対のバンド端部２６を弾力的に押し広げることができる。この状態で、ばね棒９のピン部材１９をバンド端部２６の取付孔２７の筒挿入孔部２７ｂからパイプ挿入孔部２７ａに挿入させると共に、筒状部材２１の両端部をバンド端部２６の取付孔２７の筒挿入孔部２７ｂに対応させる。
【００４７】
そして、一対のバンド端部２６を弾性復帰させて元の形状に押し戻すと、筒状部材２１が一対のバンド端部２６間に配置されて、筒状部材２１の両端部がバンド端部２６の取付孔２７の筒挿入孔部２７ｂに挿入されると共に、ばね棒９のパイプ部１８の両端部が一対のバンド端部２６の取付孔２７のパイプ挿入孔部２７ａに挿入する。このときには、バンド端部２６の取付孔２７の内周面に設けられた複数の突起部２８が筒状部材２１の外周面に弾力的に圧接して、筒状部材２１が一対のバンド端部２６に固定されている。
【００４８】
この状態では、時計バンド２４の一対のバンド端部２６間に配置された筒状部材２１の中間部が、一対のバンド端部２６間に位置する開口部２５から外部に露呈する。また、ばね棒９の一対のピン部材１９は、ばね棒９のコイルばね２０のばね力によってパイプ部１８から押し出されて、一対のバンド端部２６の取付孔２７から外部に突出する。さらに、このピン部材１９の操作突起１９ａは、一対のバンド端部２６の両端部に設けられた切欠き部２９に対応して一対のバンド端部２６の下側に露呈する。
【００４９】
そして、時計バンド２４の一端部を腕時計ケース１のバンド取付部６に取り付ける際には、まず、ばね棒９の一対のピン部材１９をコイルばね２０のばね力に抗してパイプ部１８内に押し込む。この状態で、時計バンド２４の一対のバンド端部２６を腕時計ケース１のバンド取付部６における一対の取付突起部８間に配置し、一対のピン部材１９を一対の取付突起部８の各係止孔１７に対応させる。
【００５０】
すると、第１実施形態と同様、一対のピン部材１９がコイルばね２０のばね力によってパイプ部１８内から押し出され、この押し出された一対のピン部材１９が一対の取付突起部８の各係止孔１７にそれぞれ挿入される。これにより、時計バンド２４の一対のバンド端部２６が腕時計ケース１のバンド取付部６の一対の取付突起部８間にばね棒９によって取り付けられ、時計バンド２４が腕時計ケース１のバンド取付部６に取り付けられる。
【００５１】
一方、時計バンド２４を腕時計ケース１のバンド取付部６から取り外す場合には、時計バンド２４の一対のバンド端部２６の各切欠き部２９にドライバーなどの工具（図示せず）を挿入して、ばね棒９の両端に位置する一対のピン部材１９の各操作突起１９ａをコイルばね２０のばね力に抗してパイプ部１８内に向けて移動させる。
【００５２】
すると、一対のピン部材１９が一対の取付突起部８の各係止孔１７から抜け出すので、時計バンド２４の一対のバンド端部２６がバンド取付部６の一対の取付突起部８から取り外せる状態になる、これにより、第１実施形態と同様、時計バンド２４を腕時計ケース１のバンド取付部６から取り外すことができる。
【００５３】
このように、この腕時計のバンド取付構造によれば、第１実施形態と同様の作用効果があるほか、時計バンド２４がウレタン樹脂などの弾力性を有する合成樹脂からなり、この時計バンド２４の一端部に位置する一対のバンド端部２６に設けられた各取付孔２７の筒挿入孔部２７ｂの内周面に、筒状部材２１の両端部に位置する外周面に弾力的に圧接する複数の突起部２８が設けられていることにより、筒状部材２１をガタツかないように良好に固定することができる。
【００５４】
すなわち、このバンド取付構造では、弾力性を有する合成樹脂からなる時計バンド２４の端部に位置する一対のバンド端部２６に設けられた各取付孔２７の筒挿入孔部２７ｂ内に、筒状部材２１の両端部を挿入させて配置させることにより、筒状部材２１を一対のバンド端部２６によって弾力的に挟み付けることができ、これにより筒状部材２１の軸方向へのガタツキを確実にかつ良好に防ぐことができる。
【００５５】
また、このバンド取付構造では、一対のバンド端部２６に設けられた各取付孔２７の筒挿入孔部２７ｂの内周面に設けられた複数の突起部２８を、筒状部材２１の両端部に位置する外周面に弾力的に圧接させることができるので、筒状部材２１の径方向へのガタツキを確実にかつ良好に防ぐことができ、これにより筒状部材２１を確実にかつ良好に固定することができる。
【００５６】
なお、上述した第２実施形態では、時計バンド２４の端部に位置する一対のバンド端部２６に設けられた各取付孔２７が、パイプ挿入孔部２７ａと筒挿入孔部２７ｂとを有する段差状に形成されている場合について述べたが、これに限らず、取付孔２７を筒状部材２１の外径と同じ大きさに形成しても良い。この場合には、筒状部材２１をばね棒９のパイプ部１８と同じ長さに形成すれば良い。このように構成しても、第２実施形態とほぼ同様の作用効果がある。
【００５７】
（第３実施形態）
次に、図１１〜図１４を参照して、この発明を腕時計に適用した第３実施形態について説明する。この場合にも、図１〜図６に示された第１実施形態と同一部分には同一符号を付して説明する。
この腕時計は、図１２〜図１４に示すように、カーボン繊維からなる筒状部材２１の両端部に、合成樹脂からなる補助筒部３０をそれぞれ設けた構成であり、これ以外は第１実施形態とほぼ同じ構成になっている。
【００５８】
補助筒部３０は、ウレタン樹脂、シリコーン樹脂などのエラストマー樹脂の弾性を有する合成樹脂からなり、図１２〜図１４に示すように、全体がほぼキャップ状に形成されている。すなわち、この補助筒部３０は、全体が円筒状に形成され、その内部に仕切り壁３０ａが設けられた構成になっている。この場合、補助筒部３０は、その内径が筒状部材２１の外径と同じ大きさに形成されている。
【００５９】
この補助筒部３０は、図１２〜図１４に示すように、その内部の仕切り壁３０ａにばね棒９のパイプ部１８が挿入するパイプ挿入孔３０ｂが設けられている。また、この補助筒部３０は、その軸方向の長さが金属製の時計バンド７の取付駒１０における一対の駒部１３の厚み、つまり時計バンド７の長手方向と直交する方向における駒部１３の長さよりも少し短く形成されている。
【００６０】
一方、時計バンド７の取付駒１０における一対の駒部１３には、図１２〜図１４に示すように、補助筒部３０が挿入する取付孔３１がバンド取付部６の一対の取付突起部８の各係止孔１７に対して設けられている。この取付孔３１は、その内径が補助筒部３０の外径と同じ大きさに形成されている。また、この取付孔３１内には、補助筒部３０が一対の駒部１３から取付駒１０の開口部１５内に抜け出すのを阻止するストッパ部３１ａが設けられている。
【００６１】
ところで、補助筒部３０の外周面には、図１３および図１４に示すように、一対の駒部１３に設けられた取付孔３１の内周面に弾力的に圧接する複数の外周突起部３２が円周方向に沿って設けられている。また、この補助筒部３０の内周面、つまり筒状部材２１が挿入する補助筒部３０の内周面には、筒状部材２１の外周面に弾力的に圧接する複数の内周突起部３３が円周方向に沿って設けられている。
【００６２】
さらに、この補助筒部３０には、図１２〜図１４に示すように、ばね棒９のピン部材１９の操作突起１９ａを操作するための切欠き部３４が、時計バンド７の取付駒１０における一対の駒部１３に設けられた切欠き部１３ａに対応して設けられている。これにより、ばね棒９は、ピン部材１９の操作突起１９ａが一対の駒部１３の切欠き部１３ａと補助筒部３０の切欠き部３４とに対応して露出するように構成されている。
【００６３】
この場合にも、ばね棒９は、第１実施形態と同様、ピン部材１９の操作突起１９ａが補助筒部３０の切欠き部３４と取付駒１０の一対の駒部１３の切欠き部１３ａとに対応して露出することにより、時計バンド７をバンド取付部６に取り付けた状態で、操作突起１９ａをドライバーなどの工具（図示せず）によって操作して、ピン部材１９をバンド取付部６の取付突起部８の係止孔１７から抜き出せるように構成されている。
【００６４】
次に、このような腕時計のバンド取付構造の作用について説明する。
時計バンド７を腕時計ケース１に取り付ける場合には、まず、ばね棒９、筒状部材２１、および補助筒部３０を時計バンド７の取付駒１０の取付孔３１に挿入する。このときには、予め、ばね棒９を筒状部材２１内に挿入させて、この筒状部材２１を取付駒１０の取付孔３１に挿入し、この状態で筒状部材２１の両端部に補助筒部３０をそれぞれ取り付ける。
【００６５】
すなわち、ばね棒９を筒状部材２１内に挿入させ、ばね棒９のパイプ部１８の両端部をピン部材１９と共に筒状部材２１の両端部から突出させ、この状態で筒状部材２１をばね棒９と共に取付駒１０の取付孔３１に挿入する。そして、取付駒１０の両側から補助筒部３０をそれぞれ取付駒１０の取付孔３１に挿入する。
【００６６】
このときには、パイプ部１８の両端部をピン部材１９と共に補助筒部３０の仕切り壁３０ａのパイプ挿入孔３０ｂに挿入させると共に、筒状部材２１の両端部を補助筒部３０に挿入する。すると、補助筒部３０の内周面に設けられた複数の内周突起部３３が筒状部材２１の外周面に弾力的に圧接すると共に、補助筒部３０の外周面に設けられた複数の外周突起部３２が取付駒１０の取付孔３１の内周面に弾力的に圧接する。これにより、筒状部材２１が取付駒１０に固定される。
【００６７】
また、このときには、一対の駒部１３の切欠き部１３ａと補助筒部３０の切欠き部３４とが対応する。これにより、ばね棒９の一対のピン部材１９は、ばね棒９のコイルばね２０のばね力によってパイプ部１８から押し出されて、一対の駒部１３の取付孔３１から外部に突出する。
【００６８】
この状態では、第１実施形態と同様、取付駒１０の一対の駒部１３の取付孔３１内に配置された筒状部材２１の中間部が、一対の駒部１３の開口部１５から外部に露呈する。また、このピン部材１９の操作突起１９ａは、一対の駒部１３の切欠き部１３ａと補助筒部３０の切欠き部３４とに対応して取付駒１０の下側に露呈する。
【００６９】
そして、ばね棒９の一対のピン部材１９をコイルばね２０のばね力に抗してパイプ部１８内に押し込む。この状態で、時計バンド７の取付駒１０を腕時計ケース１のバンド取付部６における一対の取付突起部８間に配置し、一対のピン部材１９を一対の取付突起部８の各係止孔１７に対応させる。
【００７０】
すると、一対のピン部材１９がコイルばね２０のばね力によってパイプ部１８内から押し出され、この押し出された一対のピン部材１９が一対の取付突起部８の各係止孔１７にそれぞれ挿入される。これにより、時計バンド７の取付駒１０が腕時計ケース１のバンド取付部６の一対の取付突起部８間にばね棒９によって取り付けられ、時計バンド７が腕時計ケース１のバンド取付部６に取り付けられる。
【００７１】
一方、時計バンド７を腕時計ケース１のバンド取付部６から取り外す場合には、一対の駒部１３の切欠き部１３ａと補助筒部３０の切欠き部３４とが対応した箇所にドライバーなどの工具（図示せず）を挿入して、ばね棒９の両端に位置する一対のピン部材１９の各操作突起１９ａをコイルばね２０のばね力に抗してパイプ部１８内に向けて移動させる。
【００７２】
すると、第１実施形態と同様、一対のピン部材１９が一対の取付突起部８の各係止孔１７から抜け出すので、時計バンド７の取付駒１０がバンド取付部６の一対の取付突起部８から取り外せる状態になる。これにより、第１実施形態と同様、時計バンド７を腕時計ケース１のバンド取付部６から取り外すことができる。
【００７３】
このように、この腕時計のバンド取付構造によれば、第１実施形態と同様の作用効果があるほか、筒状部材２１の両端部にウレタン樹脂、シリコーン樹脂などのエラストマー樹脂の弾力性を有する合成樹脂製の補助筒部３０がそれぞれ設けられ、この補助筒部３０が時計バンド７の取付駒１０の取付孔３１内に配置されるので、この補助筒部３０によって筒状部材２１の両端部を取付駒１０の一対の駒部１３に設けられた取付孔３１内に弾力的に挟み付けた状態で取り付けることができ、これにより筒状部材２１の軸方向および径方向へのガタツキを確実にかつ良好に防ぐことができる。
【００７４】
また、筒状部材２１の両端部に設けられた補助筒部３０は、ウレタン樹脂、シリコーン樹脂などのエラストマー樹脂の弾力性を有する合成樹脂製であることにより、腕時計ケース１および時計バンド７が衝撃を受けた際に、その衝撃が筒状部材２１に伝わらないように合成樹脂製の補助筒部３０によって確実にかつ良好に緩衝することができ、これにより筒状部材２１を衝撃から保護することができる。
【００７５】
この場合、補助筒部３０の外周面には、時計バンド７の取付駒１０に設けられた取付孔３１の内周面に弾力的に圧接する複数の外周突起部３２が円周方向に沿って設けられているので、これら複数の外周突起部３２によって補助筒部３０をその軸方向および径方向にガタツクことなく取付駒１０の取付孔３１内に確実にかつ良好に固定することができると共に、筒状部材２１が時計バンド７の取付駒１０および腕時計ケース１のバンド取付部６に接触しないようにすることができる。
【００７６】
また、補助筒部３０の内周面には、筒状部材２１の外周面に弾力的に圧接する複数の内周突起部３３が円周方向に沿って設けられているので、これら複数の内周突起部３３によって筒状部材２１の両端部をその軸方向および径方向にガタツクことなく補助筒部３０内に確実にかつ良好に固定することができ、これによっても筒状部材２１が時計バンド７の取付駒１０および腕時計ケース１のバンド取付部６に接触しないようにすることができる。
【００７７】
（第４実施形態）
次に、図１５〜図１８を参照して、この発明を腕時計に適用した第４実施形態について説明する。この場合には、図７〜図１０に示された第２実施形態と同一部分に同一符号を付して説明する。
この腕時計は、図１５〜図１８に示すように、カーボン繊維からなる筒状部材２１の外周面に、軟質の合成樹脂からなる円筒状のカバー部材３５を設けた構成であり、これ以外は第２実施形態とほぼ同様に構成されている。
【００７８】
カバー部材３５は、ウレタン樹脂、シリコーン樹脂などのエラストマー樹脂の透明または半透明の軟質の合成樹脂からなり、図１６〜図１８に示すように、筒状部材２１の外周面にインサート成形によって一体に形成されている。このカバー部材３５は、その軸方向の長さが、ばね棒９のパイプ部１８の長さよりも長く、かつ時計バンド２４の端部に位置する一対のバンド端部２６間の長さ、つまりバンド取付部６の一対の取付突起部８間の長さとほぼ同じ長さに形成されている。
【００７９】
この場合、時計バンド２４は、第２実施形態と同様、ウレタン樹脂などの軟質の合成樹脂からなり、腕時計ケース１のバンド取付部６における一対の取付突起部８間に配置される一端部の中間部に開口部２５が底部を除いて設けられ、これにより開口部２５の両側に一対のバンド端部２６が形成された構成になっている。
【００８０】
この一対のバンド端部２６には、図１６〜図１８に示すように、カバー部材３５が挿入する取付孔３６が設けられている。また、この一対のバンド端部２６の各外端部には、第２実施形態と同様、ばね棒９のピン部材１９の操作突起１９ａを操作するための切欠き部２９が下側に開放されて設けられている。
【００８１】
一方、カバー部材３５の両端部には、図１６〜図１８に示すように、ピン部材１９の操作突起１９ａを操作するための切欠き部３７がバンド端部２６の切欠き部２９に対応して設けられている。これにより、ばね棒９のピン部材１９の操作突起１９ａは、カバー部材３５の切欠き部３７およびバンド端部２６の切欠き部２９を通して時計バンド２４の下側に露呈するように構成されている。また、このカバー部材３５の外周面には、一対のバンド端部２６に設けられた取付孔３６の内周面に弾力的に圧接する複数の突起部３８が円周方向に沿って設けられている。
【００８２】
次に、このような腕時計のバンド取付構造の作用について説明する。
時計バンド２４を腕時計ケース１に取り付ける場合には、第２実施形態と同様、ばね棒９、筒状部材２１、およびカバー部材３５を時計バンド２４の端部に位置する一対のバンド端部２６の取付孔３６に挿入する。
【００８３】
このときには、ばね棒９のパイプ部１８を筒状部材２１内に挿入させて、パイプ部１８の両端部を筒状部材２１の両側から外部に突出させると共に、筒状部材２１の外周に設けられたカバー部材３５の両端部からも突出させる。この状態で、ばね棒９、筒状部材２１、およびカバー部材３５を時計バンド２４の端部に位置する一対のバンド端部２６の取付孔３６に挿入させる。これにより、カバー部材３５の外周面に設けられた複数の突起部３８がバンド端部２６の取付孔３６の内周面に弾力的に圧接して、カバー部材３５が一対のバンド端部２６に固定される。
【００８４】
この状態では、時計バンド２４の一対のバンド端部２６間に配置されたカバー部材３５の中間部が、一対のバンド端部２６間に位置する開口部２５から外部に露呈し、この露呈したカバー部材３５を通して筒状部材２１が見える。また、ばね棒９の一対のピン部材１９は、ばね棒９のコイルばね２０のばね力によってパイプ部１８から押し出されて、一対のバンド端部２６の取付孔３６から外部に突出する。
【００８５】
さらに、この状態では、第２実施形態と同様、ピン部材１９の操作突起１９ａが一対のバンド端部２６の両端部に設けられた切欠き部２９およびカバー部材３５の両端部に設けられた切欠き部３７に対応する。これにより、ピン部材１９の操作突起１９ａは、バンド端部２６の切欠き部２９およびカバー部材３５の切欠き部３７を通して、一対のバンド端部２６の下側に露呈する。
【００８６】
そして、時計バンド２４の一端部を腕時計ケース１のバンド取付部６に取り付ける際には、第２実施形態と同様、まず、ばね棒９の一対のピン部材１９をコイルばね２０のばね力に抗してパイプ部１８内に押し込む。この状態で、時計バンド２４の一端部に位置する一対のバンド端部２６を腕時計ケース１のバンド取付部６における一対の取付突起部８間に配置し、一対のピン部材１９を一対の取付突起部８の各係止孔１７に対応させる。
【００８７】
すると、第２実施形態と同様、一対のピン部材１９がコイルばね２０のばね力によってパイプ部１８内から押し出され、この押し出された一対のピン部材１９が一対の取付突起部８の各係止孔１７にそれぞれ挿入される。これにより、時計バンド２４の一対のバンド端部２６が腕時計ケース１のバンド取付部６の一対の取付突起部８にばね棒９によって取り付けられ、時計バンド２４が腕時計ケース１のバンド取付部６に取り付けられる。
【００８８】
一方、時計バンド２４を腕時計ケース１のバンド取付部６から取り外す場合には、時計バンド２４の一端部に位置する一対のバンド端部２６の各切欠き部２９およびカバー部材３５の切欠き部３７が対応した箇所に、ドライバーなどの工具（図示せず）を挿入して、ばね棒９の両端に位置する一対のピン部材１９の各操作突起１９ａを、コイルばね２０のばね力に抗してパイプ部１８内に向けて移動させる。
【００８９】
すると、第２実施形態と同様、一対のピン部材１９が一対の取付突起部８の各係止孔１７から抜け出すので、時計バンド２４の一対のバンド端部２６がバンド取付部６の一対の取付突起部８から取り外せる状態になる。これにより、時計バンド２４を腕時計ケース１のバンド取付部６から取り外すことができる。
【００９０】
このように、この腕時計のバンド取付構造によれば、第２実施形態と同様の作用効果があるほか、カーボン繊維からなる筒状部材２１の外周面を軟質の合成樹脂からなるカバー部材３５で覆った構成であるから、カバー部材３５によって筒状部材２１を保護することができると共に、カバー部材３５が外部から衝撃を受けた際に、その衝撃が筒状部材２１に伝わないように緩衝することができ、これにより筒状部材２１の傷付きによるカーボン繊維の散乱を確実にかつ良好に防ぐことができる。
【００９１】
この場合、カバー部材３５は、筒状部材２１の外周面にインサート成形によって一体に形成することにより、簡単にかつ容易にカバー部材３５を筒状部材２１の外周面に設けることができると共に、筒状部材２１の保管時および組み付け時に筒状部材２１が傷付いてカーボン繊維が散乱するのを確実にかつ良好に防ぐことができる。
【００９２】
また、カバー部材３５は、その両端部がバンド取付部６の一対の取付突起部８の各内端面に弾力的に当接しているので、このカバー部材３５を軸方向にガタツクことがなく位置規制することができ、これにより筒状部材２１の軸方向の位置も確実にかつ良好に位置規制することがきる。
【００９３】
また、このカバー部材３５の外周面には、一対のバンド端部２６に設けられた取付孔３６の内周面に弾力的に圧接する複数の突起部３８が円周方向に沿って設けられているので、この複数の突起部３８によってカバー部材３５を一対のバンド端部２６に確実に固定することができると共に、カバー部材３５および筒状部材２１の軸方向および径方向へのガタツキを確実にかつ良好に防ぐことができる。
【００９４】
さらに、このカバー部材３５は、透明または半透明の合成樹脂によって形成されているので、時計バンド２４の端部に位置する一対のバンド端部２６間にカバー部材３５が配置された際、および時計バンド２４が腕時計ケース１のバンド取付部６に取り付けられた際に、カバー部材３５の中間部が一対のバンド端部２６間に位置する開口部２５から外部に露呈し、この露呈したカバー部材３５を通して筒状部材２１を見えることができると共に、カバー部材３５が光学的なレンズとして機能するので、筒状部材２１を大きく見せることができる。
【００９５】
（第５実施形態）
次に、図１９〜図２２を参照して、この発明を腕時計に適用した第５実施形態について説明する。この場合には、図１〜図６に示された第１実施形態と同一部分に同一符号を付して説明する。
この腕時計は、図１９〜図２２に示すように、カーボン繊維からなる筒状部材２１の外周面に、軟質の合成樹脂からなる円筒状のカバー部材４０を設けた構成であり、これ以外は第１実施形態とほぼ同様に構成されている。
【００９６】
カバー部材４０は、第４実施形態と同様、ウレタン樹脂、シリコーン樹脂などのエラストマー樹脂の透明または半透明の軟質の合成樹脂からなり、図２０〜図２２に示すように、筒状部材２１の外周面にインサート成形によって一体に形成されている。このカバー部材４０は、その軸方向の長さが、ばね棒９のパイプ部１８および筒状部材２１の各長さよりも長く、かつ金属製の時計バンド７の取付駒１０における長手方向と直交する方向の長さとほぼ同じ長さに形成されている。
【００９７】
この場合、時計バンド７の取付駒１０は、第１実施形態と同様、バンド取付部６の一対の取付突起部８間に配置される一対の駒部１３と、この一対の駒部１３間に設けられてバンド駒１１側に向けて突出する駒連結部１４とを有している。この場合、一対の駒部１３間には、開口部１５が駒連結部１４を除いて設けられた構成になっている。
【００９８】
この一対の駒部１３には、図２０〜図２２に示すように、カバー部材４０が挿入する取付孔４１が、腕時計ケース１のバンド取付部６における一対の取付突起部８に設けられた一対の係止孔１７に対応して設けられている。また、この一対の駒部１３の各外端部には、第１実施形態と同様、ばね棒９のピン部材１９の操作突起１９ａを操作するための切欠き部１３ａが下側に開放されて設けられている。
【００９９】
一方、カバー部材４０の両端部には、図２０〜図２２に示すように、ピン部材１９の操作突起１９ａを操作するための切欠き部４２が取付駒１０の切欠き部１３ａに対応して設けられている。これにより、ばね棒９のピン部材１９の操作突起１９ａは、カバー部材４０の切欠き部４２および取付駒１０の切欠き部１３ａを通して時計バンド７の下側に露呈するように構成されている。また、このカバー部材４０の外周面には、一対の駒部１３に設けられた取付孔４１の内周面に弾力的に圧接する複数の突起部４３が円周方向に沿って設けられている。
【０１００】
次に、このような腕時計のバンド取付構造の作用について説明する。
時計バンド７を腕時計ケース１に取り付ける場合には、まず、ばね棒９、筒状部材２１、およびカバー部材４０を時計バンド７の取付駒１０の取付孔４１に挿入する。このときには、ばね棒９を筒状部材２１内に挿入させ、この筒状部材２１をカバー部材４０と共に取付駒１０の一対の駒部１３の取付孔４１に挿入し、この一対の駒部１３の切欠き部１３ａとカバー部材４０の切欠き部４２とを対応させる。
【０１０１】
この状態では、取付駒１０の一対の駒部１３の取付孔４１内に配置されたカバー部材４０の中間部が、一対の駒部１３の開口部１５から外部に露呈し、このカバー部材４０を通して筒状部材２１の中間部が見える。また、ばね棒９の一対のピン部材１９は、ばね棒９のコイルばね２０のばね力によってパイプ部１８から押し出されて、一対の駒部１３の取付孔４１から外部に突出する。さらに、このピン部材１９の操作突起１９ａは、一対の駒部１３の切欠き部１３ａとカバー部材４０の切欠き部４２とに対応して取付駒１０の下側に露呈する。
【０１０２】
そして、時計バンド７を腕時計ケース１のバンド取付部６に取り付ける際には、第１実施形態と同様、まず、ばね棒９の一対のピン部材１９をコイルばね２０のばね力に抗してパイプ部１８内に押し込む。この状態で、時計バンド７の取付駒１０を腕時計ケース１のバンド取付部６における一対の取付突起部８間に配置し、一対のピン部材１９を一対の取付突起部８の各係止孔１７に対応させる。
【０１０３】
すると、一対のピン部材１９がコイルばね２０のばね力によってパイプ部１８内から押し出され、この押し出された一対のピン部材１９が一対の取付突起部８の各係止孔１７にそれぞれ挿入される。これにより、時計バンド７の取付駒１０が腕時計ケース１のバンド取付部６の一対の取付突起部８にばね棒９によって取り付けられ、時計バンド７が腕時計ケース１のバンド取付部６に取り付けられる。
【０１０４】
一方、時計バンド７を腕時計ケース１のバンド取付部６から取り外す場合には、一対の駒部１３の切欠き部１３ａとカバー部材４０の切欠き部４２とが対応した箇所にドライバーなどの工具（図示せず）を挿入して、ばね棒９の両端に位置する一対のピン部材１９の各操作突起１９ａをコイルばね２０のばね力に抗してパイプ部１８内に向けて移動させる。
【０１０５】
すると、一対のピン部材１９が一対の取付突起部８の各係止孔１７から抜け出すので、第１実施形態と同様、時計バンド７の取付駒１０がバンド取付部６の一対の取付突起部８から取り外せる状態になる。これにより、時計バンド７を腕時計ケース１のバンド取付部６から取り外すことができる。
【０１０６】
このように、この腕時計のバンド取付構造によれば、第１実施形態と同様の作用効果があるほか、カーボン繊維からなる筒状部材２１の外周面を軟質の合成樹脂からなるカバー部材４０で覆った構成であるから、第４実施形態と同様、カバー部材４０によって筒状部材２１を保護することができると共に、カバー部材４０が外部から衝撃を受けた際に、その衝撃が筒状部材２１に伝わないように緩衝することができ、これにより筒状部材２１の傷付きによるカーボン繊維の散乱を確実にかつ良好に防ぐことができる。
【０１０７】
この場合にも、このカバー部材４０は、筒状部材２１の外周面にインサート成形によって一体に形成することにより、第４実施形態と同様、簡単にかつ容易にカバー部材４０を筒状部材２１の外周面に設けることができると共に、筒状部材２１の保管時および組み付け時に筒状部材２１が傷付いてカーボン繊維が散乱するのを確実にかつ良好に防ぐことができる。
【０１０８】
また、カバー部材４０は、その両端部がバンド取付部６の一対の取付突起部８の各内端面に弾力的に当接しているので、このカバー部材３５を軸方向にガタツクことがなく位置規制することができ、これにより筒状部材２１の軸方向の位置も確実にかつ良好に位置規制することがきる。
【０１０９】
また、このカバー部材４０の外周面には、取付駒１０の一対の駒部１３に設けられた取付孔４１の内周面に弾力的に圧接触する複数の突起部４３が円周方向に沿って設けられているので、この複数の突起部４３によってカバー部材４０を一対の駒部１３に確実に固定することができると共に、カバー部材４０および筒状部材２１の軸方向および径方向へのガタツキを確実にかつ良好に防ぐことができる。
【０１１０】
さらに、このカバー部材４０は、透明または半透明の合成樹脂によって形成されているので、時計バンド７の取付駒１０にカバー部材４０が配置された際、および時計バンド７が腕時計ケース１のバンド取付部６に取り付けられた際に、第４実施形態と同様、カバー部材４０の中間部が取付駒１０の一対の駒部１３間に位置する開口部１５から外部に露呈し、この露呈したカバー部材４０を通して筒状部材２１を見えることができると共に、カバー部材４０が光学的なレンズとして機能するので、筒状部材２１を大きく見せることができる。
【０１１１】
（第６実施形態）
次に、図２３〜図２７を参照して、この発明を腕時計に適用した第６実施形態について説明する。この場合には、図１９〜図２２に示された第５実施形態と同一部分に同一符号を付して説明する。
この腕時計は、図２３〜図２６に示すように、カバー部材４５の両端部を腕時計ケース１のバンド取付部６に食い込ませた構成であり、これ以外は第５実施形態とほぼ同じ構成になっている。
【０１１２】
すなわち、カバー部材４５は、第５実施形態と同様、ウレタン樹脂、シリコーン樹脂などのエラストマー樹脂の透明または半透明の軟質の合成樹脂からなり、図２５および図２７に示すように、カーボン繊維からなる筒状部材２１の外周面にインサート成形によって一体に形成されている。このカバー部材４５は、その軸方向の長さが、金属製の時計バンド７の長手方向と直交する方向の取付駒１０の長さよりも長く形成されている。
【０１１３】
この場合、腕時計ケース１のバンド取付部６における一対の取付突起部８には、第５実施形態と同様、ばね棒９のピン部材１９が挿入する各係止孔１７が時計バンド７の取付駒１０の取付孔４１に対応して設けられている。また、一対の取付突起部８の内端面には、図２４〜図２６に示すように、カバー部材４５の両端部が挿入する切欠き凹部４６がそれぞれ設けられている。
【０１１４】
この切欠き凹部４６は、図２５および図２６に示すように、一対の取付突起部８の係止孔１７を中心とする半円弧状の部分から一対の取付突起部８の下端部に亘って形成されている。これにより、カバー部材４５は、その両端部が一対の取付突起部８の下側から各切欠き凹部４６内に挿入して、一対の取付突起部８の各係止孔１７に対応するように構成されている。
【０１１５】
ところで、カバー部材４５の外周面には、図２７に示すように、時計バンド７の取付駒１０に設けられた取付孔４１の内周面に弾力的に圧接する複数の突起部４３が円周方向に沿って設けられている。また、このカバー部材４５の両端部には、ばね棒９のピン部材１９の操作突起１９ａを操作するための切欠き部４７が下側に開放されて設けられている。
【０１１６】
この場合、筒状部材２１は、図２５に示すように、その軸方向の長さがばね棒９のパイプ部１８の長さよりも長く、カバー部材４５の長さよりも短く形成され、筒状部材２１の両端部がカバー部材４５の切欠き部４７内に少し挿入する長さに形成されている。これにより、筒状部材２１は、時計バンド７が腕時計ケース１のバンド取付部６に取り付けられた際に、両端部がバンド取付部６の切欠き凹部４６内に挿入するように構成されている。
【０１１７】
次に、このような腕時計のバンド取付構造の作用について説明する。
時計バンド７を腕時計ケース１に取り付ける場合には、第５実施形態と同様、ばね棒９を筒状部材２１内に挿入させ、この筒状部材２１をカバー部材４５と共に取付駒１０の一対の駒部１３の両側に位置する一対の駒部１３に設けられた取付孔４１に挿入し、この一対の駒部１３の切欠き部１３ａとカバー部材４５の切欠き部４７とを対応させる。
【０１１８】
この状態では、取付駒１０の一対の駒部１３の取付孔４１内に配置されたカバー部材４５の中間部が、取付駒１０の開口部１５から外部に露呈し、このカバー部材４５を通して筒状部材２１の中間部が見える。また、ばね棒９の一対のピン部材１９は、ばね棒９のコイルばね２０のばね力によってパイプ部１８から押し出されて、一対の駒部１３の取付孔４１から外部に突出する。さらに、このピン部材１９の操作突起１９ａは、一対の駒部１３の切欠き部１３ａとカバー部材４５の切欠き部４７とに対応して取付駒１０の下側に露呈する。
【０１１９】
そして、時計バンド７を腕時計ケース１のバンド取付部６に取り付ける際には、第５実施形態と同様、まず、ばね棒９の一対のピン部材１９をコイルばね２０のばね力に抗してパイプ部１８内に押し込む。この状態で、時計バンド７の取付駒１０を腕時計ケース１のバンド取付部６における一対の取付突起部８間に下側から配置する。このときには、カバー部材４５の両端部を一対の取付突起部８の各切欠き凹部４６内に下側から挿入させて配置し、一対のピン部材１９を一対の取付突起部８の各係止孔１７に対応させる。
【０１２０】
すると、一対のピン部材１９がコイルばね２０のばね力によってパイプ部１８内から押し出され、この押し出された一対のピン部材１９が一対の取付突起部８の各係止孔１７にそれぞれ挿入される。これにより、カバー部材４５の両端部が一対の取付突起部８における各切欠き凹部４６の内面に弾力的に当接した状態で、時計バンド７の取付駒１０が腕時計ケース１のバンド取付部６にばね棒９によって取り付けられることにより、時計バンド７が腕時計ケース１のバンド取付部６に位置規制されて取り付けられる。
【０１２１】
一方、時計バンド７を腕時計ケース１のバンド取付部６から取り外す場合には、第５実施形態と同様、一対の駒部１３の切欠き部１３ａとカバー部材４５の切欠き部４７とが対応した箇所にドライバーなどの工具（図示せず）を挿入して、ばね棒９の両端に位置する一対のピン部材１９の各操作突起１９ａをコイルばね２０のばね力に抗してパイプ部１８内に向けて移動させる。
【０１２２】
すると、一対のピン部材１９が一対の取付突起部８の各係止孔１７から抜け出すので、第５実施形態と同様、時計バンド７の取付駒１０がバンド取付部６の一対の取付突起部８から取り外せる状態になる。これにより、時計バンド７を腕時計ケース１のバンド取付部６から取り外巣ことができる。
【０１２３】
このように、この腕時計のバンド取付構造によれば、第５実施形態と同様の作用効果があるほか、腕時計ケース１のバンド取付部６における一対の取付突起部８に、カバー部材４５の両端部およびカーボン繊維からなる筒状部材２１の両端部が挿入する一対の挿入部である切欠き凹部４６が設けられていることにより、第５実施形態よりも強固に時計バンド７を腕時計ケース１のバンド取付部６に取り付けることができる。
【０１２４】
なお、上述した第１〜第６の各実施形態では、筒状部材２１がカーボン繊維を合成樹脂で固めた構成である場合について述べたが、これに限らず、例えばガラス繊維またはケプラーなどのアラミド繊維、またはボロン繊維を合成樹脂で固めた構成であっても良い。さらに、カーボン繊維、ガラス繊維、アラミド繊維、およびボロン繊維の中から２種類以上の繊維を使用して合成樹脂で固めた構成であっても良い。また、筒状部材２１は金属や硬質樹脂で形成されたものであっても良い。
【０１２５】
また、上述した第１〜第６の各実施形態では、時計バンド７、２４を腕時計ケース１のバンド取付部６にばね棒９によって取り付けた場合について述べたが、必ずしもばね棒９で取り付ける必要はなく、棒状のピン部材などの連結部材によって時計バンド７、２４を腕時計ケース１のバンド取付部６に取り付けるように構成しても良い。
【０１２６】
さらに、上述した第１〜第６の各実施形態では、時計バンド７、２４を腕時計ケース１のバンド取付部６に取り付ける場合について述べたが、これに限らず、例えば金属製の時計バンド７のバンド駒１１と連結駒１２とを連結する部材連結構造にも適用することができる。また、時計バンド７、２４に限らず、ベルトの端部に尾錠などの連結金具を取り付ける部材連結構造にも適用することができる。
【０１２７】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１２８】
（付記）
請求項１に記載の発明は、端部に取付孔が設けられた第１部材と、この第１部材の前記端部が配置され、かつ前記取付孔の両端部に対応する一対の係止孔を有する第２部材と、前記第１部材の前記取付孔に挿入され、かつ両端部が前記第２部材の前記一対の係止孔に係合する連結部材と、前記連結部材の外周に装着された筒状部材とを備えていることを特徴とする部材連結構造である。
【０１２９】
請求項２に記載の発明は、請求項１に記載の部材連結構造において、前記筒状部材は、カーボン繊維、ガラス繊維、アラミド繊維、およびボロン繊維の繊維群の中から選んだ１種類または２種類以上の繊維によって形成されていることを特徴とする部材連結構造である。
【０１３０】
請求項３に記載の発明は、請求項１または請求項２に記載の部材連結構造において、前記第１部材の前記端部には、前記筒状部材を露呈させるための開口部が設けられていることを特徴とする部材連結構造である。
【０１３１】
請求項４に記載の発明は、請求項１〜請求項３のいずれかに記載の部材連結構造において、前記第１部材は、合成樹脂からなり、この第１部材の前記取付孔の内周面には、前記筒状部材の外周面に接触する複数の突起部が設けられていることを特徴とする部材連結構造である。
【０１３２】
請求項５に記載の発明は、請求項１〜請求項３のいずれかに記載の部材連結構造において、前記筒状部材の両端部には、前記第１部材の前記取付孔内に配置される合成樹脂製の補助筒部がそれぞれ設けられていることを特徴とする部材連結構造である。
【０１３３】
請求項６に記載の発明は、請求項５に記載の部材連結構造において、前記補助筒部の外周面には、前記第１部材の前記取付孔の内周面に接触する複数の外周突起部が設けられており、前記補助筒部の内周面には、前記筒状部材の外周面に接触する複数の内周突起部が設けられていることを特徴とする部材連結構造である。
【０１３４】
請求項７に記載の発明は、請求項１〜請求項３のいずれかに記載の部材連結構造において、前記筒状部材の外周面を覆う軟質の合成樹脂からなるカバー部材を備えていることを特徴とする部材連結構造である。
【０１３５】
請求項８に記載の発明は、請求項７に記載の部材連結構造において、前記カバー部材の外周面には、前記第１部材の前記取付孔の内周面に接触する複数の突起部が設けられていることを特徴とする部材連結構造である。
【０１３６】
請求項９に記載の発明は、請求項７または請求項８に記載の部材連結構造において、前記カバー部材は、透明または半透明の合成樹脂で形成されていることを特徴とする部材連結構造である。
【０１３７】
請求項１０に記載の発明は、請求項１〜請求項９のいずれかに記載の部材連結構造において、前記第２部材には、前記筒状部材の両端部が挿入する一対の挿入部が設けられていることを特徴とする部材連結構造である。
【０１３８】
請求項１１に記載の発明は、請求項１〜請求項１０のいずれかに記載の部材連結構造において、前記連結部材は、前記筒状部材内に配置されるパイプ部と、このパイプ部の両端部に出没可能に挿入された一対のピン部材と、前記パイプ部内に配置されて前記一対のピン部材を押し出す方向に付勢する付勢部材とを備えていることを特徴とする部材連結構造である。
【０１３９】
請求項１２に記載の発明は、端部に取付孔が設けられたバンドと、このバンドの前記端部が配置され、かつ前記取付孔の両端部に対応する一対の係止孔を有するバンド取付部材と、前記バンドの前記取付孔に挿入され、かつ両端部が前記バンド取付部材の前記一対の係止孔に係合する連結部材と、前記連結部材の外周に装着された筒状部材とを備えていることを特徴とするバンド取付構造である。
【０１４０】
請求項１３に記載の発明は、請求項１〜請求項１１のいずれかに記載の部材連結構造を備えていることを特徴とする時計である。
【符号の説明】
【０１４１】
１  腕時計ケース
６  バンド取付部
７、２４  時計バンド
８  一対の取付突起部
９  ばね棒
１０  取付駒
１５、２５  開口部
１３  駒本体
１３ａ  一対の駒部
１６、２７、３１、３６、４１  取付孔
１７  係止孔
１８  パイプ部
１９  ピン部材
２０  コイルばね
２１  筒状部材
２６  バンド端部
２７ａ  パイプ挿入孔部
２７ｂ  筒挿入孔部
２８、３８、４３  突起部
３０  補助筒部
３２  外周突起部
３３  内周突起部
３５、４０、４５  カバー部材
４６  切欠き凹部
【図１】
2014161402.tif 000003
【図２】
2014161402.tif 000004
【図３】
2014161402.tif 000005
【図４】
2014161402.tif 000006
【図５】
2014161402.tif 000007
【図６】
2014161402.tif 000008
【図７】
2014161402.tif 000009
【図８】
2014161402.tif 000010
【図９】
2014161402.tif 000011
【図１０】
2014161402.tif 000012
【図１１】
2014161402.tif 000013
【図１２】
2014161402.tif 000014
【図１３】
2014161402.tif 000015
【図１４】
2014161402.tif 000016
【図１５】
2014161402.tif 000017
【図１６】
2014161402.tif 000018
【図１７】
2014161402.tif 000019
【図１８】
2014161402.tif 000020
【図１９】
2014161402.tif 000021
【図２０】
2014161402.tif 000022
【図２１】
2014161402.tif 000023
【図２２】
2014161402.tif 000024
【図２３】
2014161402.tif 000025
【図２４】
2014161402.tif 000026
【図２５】
2014161402.tif 000027
【図２６】
2014161402.tif 000028
【図２７】
2014161402.tif 000029